(57)【要約】【課題】  特願２００９−１９２７２９号のモニターは、素材映像データの監視については、時間情報およびアンシラリ情報を波形化するだけでは、その素材映像データの始まりと終わり、あるいは素材映像データ中の特定期間を判断することができず、アンシラリ情報の変化は確認できても、それが適切なタイミングで行われているかどうかを確認することが困難であった。【解決手段】  本発明のアンシラリ情報表示モニターは、モニター搭載の接点入力端子を介して外部から入力されるＯＮ／ＯＦＦ信号を波形に変換して同一時間軸上に配置し、アンシラリ情報とＯＮ／ＯＦＦ信号の波形を１画面内で同時に表示することで、ユーザーが素材映像データを監視したい期間のアンシラリ情報の時間的な変化とその順番を視覚的にリアルタイムで把握することが可能である。【選択図】  図４
2012090020.tif 000002
【特許請求の範囲】
【請求項１】
波形表示モニターにおいて、外部から入力されるＯＮ／ＯＦＦ信号を波形に変換したものと、映像信号に多重されるアンシラリ情報を波形に変換したものとを同一時間軸上に配置して１画面内に表示する機能を持つことを特徴とするモニター。
【請求項２】
前記、ＯＮ／ＯＦＦ信号とアンシラリ情報を波形に変換して同一時間軸上に配置して表示する機能は、モニター搭載の接点入力端子からＯＮ／ＯＦＦ信号が入力できることを特徴とする請求項１に記載のモニター。
【請求項３】
前記、ＯＮ／ＯＦＦ信号とアンシラリ情報を波形に変換して同一時間軸上に配置して表示する機能は、モニター搭載のスイッチ操作や外部ＰＣからＯＮ／ＯＦＦ信号の時間軸上の配置を調整できるディレイ調整機能を持つことを特徴とする請求項１、２に記載のモニター。
【発明の詳細な説明】
【技術分野】
【０００１】
本発明は、本発明者が先に出願した特願２００９−１９２７２９号の映像信号に多重される複数のアンシラリ情報を波形に変換して時間軸上に配置して１画面で同時に表示する機能を持つことを特徴としたモニターに関連し、モニター搭載の接点入力端子を介して外部から入力されるＯＮ／ＯＦＦ信号を波形に変換して時間軸上に配置し、アンシラリ情報とＯＮ／ＯＦＦ信号の波形を１画面内で同時に表示する機能を持つことを特徴としたモニターに関するものである。
【背景技術】
【０００２】
特願２００９−１９２７２９号の映像信号に多重される複数のアンシラリ情報を選択し、波形に変換して時間軸上に配置して１画面で同時に表示する機能を持つことを特徴としたモニターは、ユーザーが監視したい時間を波形に変換し、時間情報とアンシラリ情報を時間軸上に配置して１画面で表示することで、テレビ局から送出する映像データを監視することは可能であるが、その前段階の素材映像データに対する監視については、局間制御等の運用に必要なアンシラリ情報が多重されていないことも多く、時間情報およびアンシラリ情報を波形化するだけではその素材の始まりと終わりを判断することができない。
【０００３】
例えば字幕文やＣＳの多重は確認できても、それが適切なタイミングで行われているかどうかを確認することは困難である。現状、素材映像データの確認についてはユーザーが目視にて行っており、例えば素材映像データの始まりと終わりの１秒間の字幕表示禁止期間等の確認についても目視に頼らざるを得ず、その信頼性は低いと言える。
【先行技術文献】
【特許文献】
【０００４】
【特許文献１】特許３８８４０１６号公報
【特許文献２】特願２００９−１９２７２９号
【発明の概要】
【発明が解決しようとする課題】
【０００５】
しかしながら、特願２００９−１９２７２９号の映像信号に多重される複数のアンシラリ情報を選択し、波形に変換して時間軸上に配置して１画面で同時に表示する機能を持つことを特徴としたモニターは、素材映像データに対する監視については、局間制御等の運用に必要なアンシラリ情報が多重されていないことも多く、時間情報およびアンシラリ情報を波形化するだけではその素材の始まりと終わりを判断することができず、例えば字幕文やＣＳの多重は確認できても、それが適切なタイミングで行われているかどうかを確認することは困難である、という問題があった。
【０００６】
本発明は、上記問題を解決し、素材映像データのアンシラリ情報の時間的な変化とその順番を視覚的にリアルタイムで把握することが可能なモニターを提供することを課題としている。
【課題を解決するための手段】
【０００７】
上記問題を解決する為に、本発明のアンシラリ情報表示モニターは、特願２００９−１９２７２９号の映像信号に多重される複数のアンシラリ情報を波形に変換して時間軸上に配置して１画面で同時に表示する機能を持つことを特徴としたモニターについて、モニター搭載の接点入力端子を介して外部から入力されるＯＮ／ＯＦＦ信号を波形に変換して時間軸上に配置する機能を追加し、アンシラリ情報とＯＮ／ＯＦＦ信号の波形を１画面で同時に表示する機能を持つことを特徴としたモニターに関するものである。
【０００８】
この発明によれば、モニター搭載の接点入力端子を介して外部から入力されるＯＮ／ＯＦＦ信号を波形に変換して時間軸上に配置することで、アンシラリ情報とＯＮ／ＯＦＦ信号の波形が１画面で同時に表示されるので、ユーザーが素材映像データについて監視したい期間（始まりと終わり、あるいは素材映像データ中の特定期間）を素材映像データとともに外部からＯＮ／ＯＦＦ信号にて入力することで、素材映像データの始まりと終わり、あるいは素材中の特定期間に対するアンシラリ情報の時間的な変化とその順番が視覚的にリアルタイムで把握することが可能である。
【発明の効果】
【０００９】
本発明によれば、ユーザーが素材映像データについて監視したい期間（始まりと終わり、あるいは素材映像データ中の特定期間）を素材映像データとともにモニター搭載の接点入力端子を介して外部からＯＮ／ＯＦＦ信号にて入力することで、素材の始まりと終わり、あるいは素材中の特定期間に対するアンシラリ情報の時間的な変化とその順番が視覚的にリアルタイムで把握することが可能であるので、素材映像データの確認を行う上で、例えば素材映像データの始まりと終わりの１秒間の字幕表示禁止期間等の確認についても波形の変化を見るだけで確認できるようになることからユーザーの負担が軽減され、またその信頼性も高くなるという効果がある。
【図面の簡単な説明】
【００１０】
【図１】従来技術によるモニターのブロック図である。
【図２】従来技術によるモニターの画面表示図である。
【図３】本発明による外部から入力されるＯＮ／ＯＦＦ信号を波形表示する為のブロック図である。
【図４】本発明による外部から入力されるＯＮ／ＯＦＦ信号を波形表示する機能を適用した場合の画面表示図である。
【発明を実施するための形態】
【００１１】
以下、特願２００９−１９２７２９号の技術について図１を用いて説明する。
【００１２】
ＳＤＩ信号１０１をモニター１６０に入力し、コンバータ回路１０３にて映像データ１０５に変換する。アンシラリデコーダ回路１０７にて、映像データ１０５からアンシラリＡデータ１２０、アンシラリＢデータ１２２、アンシラリＣデータ１２４、アンシラリＤデータ１２６の複数のアンシラリデータを抽出する。これらの選択は、モニター搭載のスイッチ操作あるいはＰＣ制御１７０からのアンシラリ情報＆項目選択３３０にて行われる。ここではアンシラリ情報の選択に加えて、その中の必要となる項目も選択する。
【００１３】
アンシラリ＆時間波形コンバータ７０４にて、モニター搭載のスイッチ操作あるいはＰＣ制御１７０から表示時間５００を設定し、アンシラリＡデータ１２０からアンシラリ波形Ａデータ３１０を作成し、アンシラリＢデータ１２２からアンシラリ波形Ｂデータ３１２を作成し、アンシラリＣデータ１２４からアンシラリ波形Ｃデータ３１４を作成し、アンシラリＤデータ１２６からアンシラリ波形Ｄデータ３１６を作成し、複数の波形データを作成する。
【００１４】
内部時計７００からの時計情報７０１を時計情報コンバータ７０２にて時計データ７０３に変換しアンシラリ＆時間波形コンバータ回路７０４に入力する。アンシラリ＆時間波形コンバータ回路７０４にて、モニター搭載のスイッチ操作あるいはＰＣ制御１７０から時間設定７１０を設定し、時間設定７１０と時計データ７０３の一致する期間を時間波形データ７０５に変換する。
【００１５】
波形合成回路３２０にて、アンシラリ波形Ａデータ３１０とアンシラリ波形Ｂデータ３１２とアンシラリ波形Ｃデータ３１４とアンシラリ波形Ｄデータ３１６と時間波形データ７０５を合成して画面データ１４５を作成する。
【００１６】
内部時計７００からの時計情報７０１をメモリコントローラ９０１に入力し、ユーザーが設定した時間(現在も含む)がきたら画面データ１４５を内部メモリデータ９０２に変換して内部メモリ９０３に保存する。ユーザーは内部メモリ９０３に保存されたデータとリアルタイムで変化する画面データ１４５を選択でき、選択された画面表示データ９０４をディスプレイ１５０に表示する。またメモリコントローラ９０１にて、内部メモリ９０３に保存されたデータを外部メモリデータ９０５に変換して外部メモリ９０６に保存することも可能とする。これらの制御は、モニター搭載のスイッチ操作あるいはＰＣ制御１７０からのメモリ制御＆ビデオ切替９００にて行われる。
【００１７】
以上により、複数のアンシラリ情報の必要な項目とユーザーが監視したい期間を波形データに変換して１画面に表示することが可能となり、ユーザーが監視したい時間の表示画面データを内部メモリに保存しておくことで後の確認作業にも使用でき、さらに外部メモリに保存することでその表示画面データを持ち運ぶことが可能となる。但し、素材映像データの監視については、局間制御等の運用に必要なアンシラリ情報が多重されていないことも多く、素材映像データ自体がその始まりと終わりを判断できるアンシラリ情報を持たないことから素材映像データのアンシラリ情報を波形化して表示するだけでは、例えば字幕文やＣＳの多重は確認できても、それが適切なタイミングで行われているかどうかを確認することは困難である。
【００１８】
次に、特願２００９−１９２７２９号の技術をモニターに適用した場合のモニター表示について図２を用いて説明する。
【００１９】
ディスプレイ１５０には、ユーザーが監視したい時間を波形表現した監視波形８００と、放送局間制御信号（ＡＲＩＢ  ＳＴＤ−Ｂ３９）にて規定されるトリガ信号を波形表現したアンシラリ波形Ａ４００と、デジタル字幕データ（ＡＲＩＢ  ＳＴＤ−Ｂ３７）にて規定されるＣＳを波形表現したアンシラリ波形Ｂ４１０と、ＣＭキャッチコード（ＡＲＩＢ  ＴＲ−Ｂ２３）を波形表現したアンシラリ波形Ｃ４２０と、デジタル音声（ＢＴＡ  Ｓ−００６Ｂ）を波形表現したアンシラリ波形Ｄ４３０が、時間軸４４０を同じくして表示される。
【００２０】
監視波形８００はユーザーが監視したい時間かどうかを波形で表現しており、ユーザーが設定した時間がくると監視フラグ８０１が立ち、それ以外の場合にはフラグは立たない。
ユーザーは監視したい時間を任意に設定でき、その設定した時間はフラグの立ち上がり地点に開始時間８０２と表示される。またユーザーは監視したい時間に幅を持たせて設定することも可能であり、その場合にはフラグの立ち上がり地点に開始時間８０２、立ち下がり地点に終了時間８０３と表示される。
【００２１】
アンシラリ波形Ａ４００は、放送局間制御信号（ＡＲＩＢ  ＳＴＤ−Ｂ３９）のパケットにあるトリガ信号（Ｑ１〜Ｑ２５）の‘１’あるいは‘０’を波形で表現しており、ユーザーが選択したトリガ信号（Ｑ１〜Ｑ２５）が‘１’であった場合にはトリガフラグ４０２が立ち、‘０’であった場合にはフラグは立たない。トリガフラグ４０２の立ち上がりは放送局間制御信号（ＡＲＩＢ  ＳＴＤ−Ｂ３９）にあるトリガ信号（Ｑ１〜Ｑ２５）を検出した時間に同じとし、立ち上がり期間にはある程度幅を持たせることで視認性を向上させる。ユーザーはトリガフラグ４０２を監視することで選択したトリガ信号（Ｑ1〜Ｑ２５）が‘１’になった瞬間を捉えることができる。
【００２２】
アンシラリ波形Ｂ４１０は、デジタル字幕データ（ＡＲＩＢ  ＳＴＤ−Ｂ３７）のパケット内の制御符号ＣＳ（画面消去）の有無を波形で表現しており、制御符号ＣＳ（画面消去）があった場合にはＣＳフラグ４１２が立ち、なかった場合にはフラグは立たない。ＣＳフラグ４１２の立ち上がりはデジタル字幕データ（ＡＲＩＢ  ＳＴＤ−Ｂ３７）のパケット内の制御符号ＣＳ（画面消去）を検出した時間に同じとし、立ち上がり期間にはある程度幅を持たせることで視認性を向上させる。ユーザーはＣＳフラグ４１２を監視することで制御符号ＣＳ（画面消去）の有無、および制御符号ＣＳ（画面消去）が多重された瞬間を捉えることができる。
【００２３】
アンシラリ波形Ｃ４２０は、ＣＭキャッチコード（ＡＲＩＢ  ＴＲ−Ｂ２３）のパケット多重の有無を波形で表現しており、ＣＭキャッチコードがパケット多重された場合にはＣＭキャッチフラグ４２２が立ち、パケット多重されなかった場合にはフラグは立たない。ＣＭキャッチフラグ４２２の立ち上がりはＣＭキャッチコード（ＡＲＩＢ  ＴＲ−Ｂ２３）のパケット多重を検出した時間に同じとし、立ち上がり期間にはある程度幅を持たせることで視認性を向上させる。ユーザーはＣＭキャッチフラグ４２２を監視することでＣＭキャッチコード（ＡＲＩＢ  ＴＲ−Ｂ２３）のパケット多重された瞬間を捉えることができる。
【００２４】
アンシラリ波形Ｄ４３０は、デジタル音声（ＢＴＡ  Ｓ−００６Ｂ）のパケット内の音声データ（ＣＨ１〜ＣＨ１６）を波形で表現しており、ユーザーが選択した音声データ（ＣＨ１〜ＣＨ１６）について順次レベル変換した音声レベル波形４３２を音声レベルスケール４３４内にプロットする。ユーザーは音声レベル波形４３２を監視することで選択した音声データ（ＣＨ１〜ＣＨ１６）の音声レベルの時間的な変化が確認でき、また音声レベルスケール４３４と比較することでその音声レベルが適切であることが確認できる。
【００２５】
ディスプレイ１５０に表示される監視波形およびアンシラリ波形について、時間軸４４０の右にプロットされるほど過去であることを表現し、時間軸４４０の左にプロットされるほど現在に近いことを表現する、よって監視波形およびアンシラリ波形は時間の経過に伴い左から右に流れていく。
【００２６】
以上により、ユーザーの監視したい時間と複数のアンシラリ情報を波形データに変換して、時間軸を同じくして１画面に表示することから、ユーザーの監視したい時間における複数のアンシラリ情報の時間的な変化とその順番を視覚的にリアルタイムで把握することが可能となる。但し、素材映像データの監視に対して、モニター側でユーザーが時間を設定して監視期間を波形化して表示する従来の方法では、素材の始まりと終わり、あるいは素材中の特定期間を都度設定することは困難であり、また繰り返し確認することを考慮すると現実的な手段とは言えない。
【００２７】
次に、本発明におけるモニター搭載の接点入力端子を介して外部から入力されるＯＮ／ＯＦＦ信号を波形に変換して時間軸上に配置する機能を特願２００９−１９２７２９号のモニターに追加した場合について図３を用いて説明する。
【００２８】
モニター搭載の接点入力端子より、ＯＮ／ＯＦＦ信号１００１をモニター１６０に入力し、ＯＮ／ＯＦＦコンバータ１００２にてＯＮ／ＯＦＦデータ１００３に変換する。
【００２９】
アンシラリ＆時間＆ＯＮ／ＯＦＦ波形コンバータ１００４にて、モニター搭載のスイッチ操作あるいはＰＣ制御１７０から表示時間５００を設定し、ＯＮ／ＯＦＦデータ１００３からＯＮ／ＯＦＦ波形データ１００５を作成する。ここでモニター搭載のスイッチ操作あるいはＰＣ制御１７０からＯＮ／ＯＦＦディレイ調整１００６を設定することでＯＮ／ＯＦＦ波形データ１００５の時間軸上の配置を調整する。
【００３０】
ＳＤＩ信号１０１をモニター１６０に入力し、コンバータ回路１０３にて映像データ１０５に変換する。アンシラリデコーダ回路１０７にて、映像データ１０５からアンシラリＡデータ１２０、アンシラリＢデータ１２２、アンシラリＣデータ１２４、アンシラリＤデータ１２６の複数のアンシラリデータを抽出する。これらの選択は、モニター搭載のスイッチ操作あるいはＰＣ制御１７０からのアンシラリ情報＆項目選択３３０にて行われる。ここではアンシラリ情報の選択に加えて、その中の必要となる項目も選択する。
【００３１】
アンシラリ＆時間＆ＯＮ／ＯＦＦ波形コンバータ１００４にて、モニター搭載のスイッチ操作あるいはＰＣ制御１７０から表示時間５００を設定し、アンシラリＡデータ１２０からアンシラリ波形Ａデータ３１０を作成し、アンシラリＢデータ１２２からアンシラリ波形Ｂデータ３１２を作成し、アンシラリＣデータ１２４からアンシラリ波形Ｃデータ３１４を作成し、アンシラリＤデータ１２６からアンシラリ波形Ｄデータ３１６を作成し、複数の波形データを作成する。
【００３２】
内部時計７００からの時計情報７０１を時計情報コンバータ７０２にて時計データ７０３に変換しアンシラリ＆時間＆ＯＮ／ＯＦＦ波形コンバータ回路１００４に入力する。アンシラリ＆時間＆ＯＮ／ＯＦＦ波形コンバータ回路１００４にて、モニター搭載のスイッチ操作あるいはＰＣ制御１７０から時間設定７１０を設定し、時間設定７１０と時計データ７０３の一致する期間を時間波形データ７０５に変換する。
【００３３】
波形合成回路３２０にて、ＯＮ／ＯＦＦ波形データ１００５とアンシラリ波形Ａデータ３１０とアンシラリ波形Ｂデータ３１２とアンシラリ波形Ｃデータ３１４とアンシラリ波形Ｄデータ３１６と時間波形データ７０５を合成して画面データ１４５を作成する。
【００３４】
内部時計７００からの時計情報７０１をメモリコントローラ９０１に入力し、ユーザーが設定した時間(現在も含む)がきたら画面データ１４５を内部メモリデータ９０２に変換して内部メモリ９０３に保存する。ユーザーは内部メモリ９０３に保存されたデータとリアルタイムで変化する画面データ１４５を選択でき、選択された画面表示データ９０４をディスプレイ１５０に表示する。またメモリコントローラ９０１にて、内部メモリ９０３に保存されたデータを外部メモリデータ９０５に変換して外部メモリ９０６に保存することも可能とする。これらの制御は、モニター搭載のスイッチ操作あるいはＰＣ制御１７０からのメモリ制御＆ビデオ切替９００にて行われる。
【００３５】
以上により、特願２００９−１９２７２９号のモニターに、モニター搭載の接点入力端子を介して入力されるＯＮ／ＯＦＦ信号を波形に変換して１画面に表示する機能が追加され、またこのＯＮ／ＯＦＦ信号の時間軸上の配置を調整するディレイ調整機能も追加される。
【００３６】
次に、本発明におけるモニター搭載の接点入力端子を介して外部から入力されるＯＮ／ＯＦＦ信号を波形に変換して時間軸上に配置する機能を特願２００９−１９２７２９号のモニターに追加した場合の画面表示について図４を用いて説明する。
【００３７】
ディスプレイ１５０には、モニター搭載の接点入力端子より入力されるＯＮ／ＯＦＦ信号を波形表現したＯＮ／ＯＦＦ波形１１００と、ユーザーが監視したい時間を波形表現した監視波形８００と、デジタル字幕データ（ＡＲＩＢ  ＳＴＤ−Ｂ３７）にて規定される字幕文の多重の有無を波形表現したアンシラリ波形Ｅ１１１０と、デジタル字幕データ（ＡＲＩＢ  ＳＴＤ−Ｂ３７）にて規定されるＣＳを波形表現したアンシラリ波形Ｂ４１０と、ＣＭキャッチコード（ＡＲＩＢ  ＴＲ−Ｂ２３）を波形表現したアンシラリ波形Ｃ４２０と、デジタル音声（ＢＴＡ  Ｓ−００６Ｂ）を波形表現したアンシラリ波形Ｄ４３０が、時間軸４４０を同じくして表示される。
【００３８】
ＯＮ／ＯＦＦ波形１１００は素材の始まりと終わり、あるいは素材中の特定期間を波形で表現しており、この場合はその期間中にＯＮ／ＯＦＦフラグ１１０１が立ち、それ以外の場合にはフラグは立たない。
【００３９】
監視波形８００は、この場合には使用しないことからフラグは立たない。
【００４０】
アンシラリ波形Ｅ１１１０は、デジタル字幕データ（ＡＲＩＢ  ＳＴＤ−Ｂ３７）の字幕文の有無を波形で表現しており、パケットが字幕文であった場合には字幕文フラグ１１１２が立ち、パケットがダミーデータであった場合にはフラグは立たない。
【００４１】
アンシラリ波形Ｂ４１０は、デジタル字幕データ（ＡＲＩＢ  ＳＴＤ−Ｂ３７）のパケット内の制御符号ＣＳ（画面消去）の有無を波形で表現しており、制御符号ＣＳ（画面消去）があった場合にはＣＳフラグ４１２が立ち、なかった場合にはフラグは立たない。
【００４２】
アンシラリ波形Ｃ４２０は、ＣＭキャッチコード（ＡＲＩＢ  ＴＲ−Ｂ２３）のパケット多重の有無を波形で表現しており、この場合は多重がないことからフラグは立たない。
【００４３】
アンシラリ波形Ｄ４３０は、デジタル音声（ＢＴＡ  Ｓ−００６Ｂ）のパケット内の音声データ（ＣＨ１〜ＣＨ１６）を波形で表現しており、ユーザーが選択した音声データ（ＣＨ１〜ＣＨ１６）について順次レベル変換した音声レベル波形４３２を音声レベルスケール４３４内にプロットする。
【００４４】
ディスプレイ１５０に表示される波形について、時間軸４４０の右にプロットされるほど過去であることを表現し、時間軸４４０の左にプロットされるほど現在に近いことを表現する、よって波形は時間の経過に伴い左から右に流れていく。
【００４５】
以上により、モニター搭載の接点入力端子を介して外部から入力されるＯＮ／ＯＦＦ信号とアンシラリ情報を波形データに変換して時間軸を同じくして１画面に表示することから、ユーザーはＯＮ／ＯＦＦ信号にて素材の始まりと終わり、あるいは素材中の特定期間を把握でき、その期間中のアンシラリ情報（字幕文、ＣＳ、音声）の変化とその順番を視覚的にリアルタイムで把握することが可能となる。
【符号の説明】
【００４６】
１０１  ＳＤＩ信号
１０３  コンバータ
１０５  映像データ
１０７  アンシラリデコーダ
１２０，１２２，１２４，１２６  アンシラリデータ
１４５  画像データ
１５０  ディスプレイ
１６０  モニター
１７０  スイッチ走査あるいはＰＣ制御
３１０，３１２，３１４，３１６  アンシラリ波形データ
３２０  波形合成
３３０  アンシラリ情報＆項目選択
４００  アンシラリ波形Ａ
４０２  トリガフラグ
４１０  アンシラリ波形Ｂ
４１２  ＣＳフラグ
４２０  アンシラリ波形Ｃ
４２２  ＣＭキャッチフラグ
４３０  アンシラリ波形Ｄ
４３２  音声レベル波形
４３４  音声レベルスケール
４４０  時間軸
５００  表示時間
７００  内部時計
７０１  時間情報
７０２  時計情報コンバータ
７０３  時計データ
７０４  アンシラリ＆時間波形コンバータ
７０５  時間波形データ
７１０  時間設定
８００  監視波形
８０１  監視フラグ
８０２  開始時間
８０３  終了時間
９００  メモリ制御＆ビデオ切替
９０１  メモリコントローラ
９０２  内部メモリデータ
９０３  内部メモリ
９０４  画像表示モニタ
９０５  外部メモリデータ
９０６  外部メモリ
１００１  ＯＮ／ＯＦＦ信号
１００２  ＯＮ／ＯＦＦコンバータ
１００３  ＯＮ／ＯＦＦデータ
１００４  アンシラリ＆時間＆ＯＮ／ＯＦＦ波形コンバータ
１００５  ＯＮ／ＯＦＦ波形データ
１００６  ＯＮ／ＯＦＦディレイ調整
１１００  ＯＮ／ＯＦＦ波形
１１０１  ＯＮ／ＯＦＦフラグ
１１１０  アンシラリ波形Ｅ
１１１２  字幕文フラグ
【図１】
2012090020.tif 000003
【図２】
2012090020.tif 000004
【図３】
2012090020.tif 000005
【図４】
2012090020.tif 000006